(57)【要約】　　　（修正有）【課題】長期間の塩漬け醸成で芳香を発する桜の葉を従来の濡れマスクに代る保湿媒体としてマスクに着用するに当り、ウェット状態の桜の葉における酵素の酸化作用やカビの発生等による変質や腐敗の発生を予防し、長期間の品質の安定保存を可能とする、芳香を発する桜の葉を利用したマスク用保湿媒体の提供。【解決手段】マスク用バッグ１はウェット状態で芳香を発する桜の葉を粗揉みしながら熱風で乾燥し、その砕断乾燥された桜の葉４を外郭線３で示すシングルバッグ２に封入し、次にその桜の葉を封入したシングルバッグ２の外側をガーゼで包み込んで製造され、着用時に水分を含ませて、マスク用保湿媒体の機能を働かせる。【選択図】　図１
0003097368.tif 000002
【実用新案登録請求の範囲】
【請求項１】
長期間の塩漬け醸成で芳香を発する桜の葉を、粗揉みしながら熱風で乾燥した後に、その砕断乾燥された桜の葉を漉紙製シングルバッグに封入して、乾燥状態の桜の葉のシングルバッグを製造し、次にその桜の葉のシングルバッグの外側をガーゼで長方形に包み込んで、シートマスクに着用可能なマスク用バッグを製造することを特徴とした芳香を発する桜の葉を乾燥状態で内包したマスク用バッグ。
【請求項２】
前記マスク用バッグが、未着用時は、空気不透過のアルミ製パッケージに真空パックされて、保存されてあることを特徴とする請求項１に記載の芳香を発する桜の葉を乾燥状態で内包したマスク用バッグ。
【請求項３】
着用時は、前記アルミ製パッケージから前記マスク用バッグを取出し、その内包した乾燥状態の桜の葉をその長方形全面に外から押し拡げた後に、水分を含ませて、シートマスクに挟み込んで着用するごとく形成されたことを特徴とする請求項２に記載の芳香を発する桜の葉を乾燥状態で内包したマスク用バッグ。
【請求項４】
未着用時に、前記砕断乾燥された桜の葉を封入したシングルバッグを空気不透過のアルミ製パッケージに真空パックして保存し、着用時に前記シングルバッグを前記パッケージから取出し、その外側をガーゼで長方形に包み込み、その内包した桜の葉をその長方形全面に押し拡げた後に、水分を含ませて、シートマスクに挟み込んで着用するごとく形成されたことを特徴とする請求項１乃至３に記載の芳香を発する桜の葉を乾燥状態で内包したマスク用バッグ。
【請求項５】
前記請求項１乃至４に記載の芳香を発する桜の葉を乾燥状態で内包したマスク用バッグに代えて、健康に被害を与えることなく芳香を発する草木の葉を砕断乾燥した後に封入して、乾燥状態の草木の葉のシングルバッグを製造し、次にその外側をガーゼで包み込んで、シートマスクに着用可能なマスク用バッグを製造することを特徴とした芳香を発する草木の葉を乾燥状態で内包したマスク用バッグ。
【請求項６】
前記請求項５に記載の芳香を発する草木の葉を乾燥状態で内包したマスク用バッグに代えて、健康に被害を与えることなく芳香を発する草木の花、実、茎、皮及び果実の皮を砕断乾燥した後にシングルバッグに封入し、次にマスク用バッグに内包したことを特徴とする芳香を発する草木の花、実、茎、皮及び果実の皮を乾燥状態で内包したマスク用バッグ。
【考案の詳細な説明】
【０００１】
【考案の属する技術分野】本考案はシートマスクに挟み込んで着用する天然物製品利用の保湿媒体手段の技術分野に属し、詳しくは、芳香を発する桜の葉や草木の葉、花、実、茎、皮、果実の皮をそれぞれ乾燥状態で内包したマスク用バッグからなる保湿媒体手段の技術分野に属する。
【０００２】
【従来の技術】ガーゼや不織布等から作られたシートマスクは鼻、口を覆って、空気中の塵埃や病菌の侵入を防ぐための簡易な手段として広く使われている。また前記のフィルター効果の他に、特にガーゼマスクでは、水で濡らして濡れマスクとして着用すれば、鼻腔、口腔、咽頭、喉頭などの上気道に水分が送り込まれ、それら上気道の粘膜を湿潤に保って乾燥から守り、上気道の消炎や風邪の予防に対して効果のあることが、医者や体験者によって衆知化されている。
【０００３】
また桜の葉は長期間の塩漬け醸成で、桜の葉に含まれるクマリン成分が発酵され、独特の甘い芳香を発生するが、ウェット状態で芳香を発する桜の葉は桜餅に巻かれて広く利用されていて、特に大島桜の葉が好適とされている。
【０００４】
【考案が解決しようとする課題】しかし前述の濡れマスクが上気道の消炎や風邪の予防に有効であることは理解できても、マスクを水で濡らして着用することは結構面倒なことであると共に、全く味気もなく、上気道の消炎のような緊急の場合は別として、風邪の予防のような将来の期待効果では濡れマスクを継続して着用しようという意欲がわかない欠点がある。
【０００５】
本考案はこれら従来の濡れマスクの効果を生かしながらその欠点の解決を目的とするものであるが、従来の濡れマスクの機能を好適な天然物利用の保湿媒体に代替させ、特に継続してマスクを着用したくなるような、天然物利用の新規なマスク用保湿媒体の提供を目的とする。
【０００６】
本考案者は前記課題の解決に当たり、長期間塩漬け醸成されたウェット状態の桜の葉をシートマスクに挟み込んで着用すると、従来の濡れマスクに代わる保湿媒体として好適であるのみならず、そのウェット状態の桜の葉から発する芳香は、着用者の神経系の働きを和らげ、緊張感やいらいらから解放し、また爽快感を感知させる癒し効果をも発揮すること、また前記芳香性の他に抗菌性、消臭性等の優れた特性を有していることに着目して、前記課題解決手段として、天然物製品のウェット状態で芳香を発する桜の葉を利用した新規なマスク用保湿媒体を提案し、既に実用新案登録出願を行なっている。
【０００７】
しかし前記課題解決手段に利用された桜の葉はウェット状態の天然物製品であるため、高温や直射日光に長時間曝されていると、酵素の酸化作用やカビの発生などによる変質や腐敗を起す恐れがあり、長期間変質や腐敗を起こさずに機能させるための品質の安定保存の課題を解決する必要に当面した。
【０００８】
【課題を解決するための手段】前記の新しく当面した課題の解決に当って、ウェット状態の桜の葉のような天然物製品は、加熱乾燥させることにより酸化酵素の働きを不活性化し、カビの発生を防止できることに着目して、本考案は前記課題解決手段として、ウェット状態で芳香を発する桜の葉を粗揉みしながら熱風で乾燥し、その砕断乾燥された桜の葉をシングルバッグに封入して、新規なマスク用保湿媒体として提供しようとするもので、そのシングルバッグに封入された乾燥状態の桜の葉は、ウェット状態に較べて長期間未着用のまま保存されても、酸化やカビ等による変質や腐敗が防止され、品質が安定保存されるのである。
【０００９】
また本考案は、前記桜の葉のシングルバックに対して、その外側をガーゼで長方形に包み込んで、シートマスクに着用可能な桜の葉を乾燥状態で内包したマスク用バッグの態様に形成して提供しようとするものである。
【００１０】
また本考案は、前記マスク用バッグに乾燥状態で内包された桜の葉に対して、パッケージから取出してマスクに着用するとき、内包された桜の葉をバッグの外から押し拡げ、バッグを包んだガーゼの全面に水分を含ませることにより乾燥状態からウェット状態に復元させて、マスク用保湿媒体として機能させようとするものである。かくしてウェット状態に復元された桜の葉のマスク用バッグを着用すると、従来の濡れマスクに代わる効果が発揮されると共に、桜の葉から発する芳香は爽快感を感知させて、天然物利用の新規な効果を発揮するのである。
【００１１】
さらに本考案は、桜の葉を乾燥状態で内包したマスク用バッグに対して、空気不透過のアルミ製パッケージに真空パックにして保存し、桜の葉の酸化防止と共に桜の葉の芳香の消失をも防止し、長期間不着用でも品質の安定保存を図ろうとするものである。
【００１２】
また本考案は、前記のマスク用バッグのパッケージ保存に代えて、桜の葉を乾燥状態で封入したシングルバッグをパッケージに真空パックにして保存する、簡略化した保存方法を提供しようとするものである。本方法では、着用のためパッケージから取出した時に、その外側をガーゼで長方形に包み込んで前記マスク用バッグの態様に形成し、マスクに着用するものである。
【００１３】
また本考案は、シングルバッグには砕断された桜の葉を内包して、マスク着用時に息苦しくないように形成し、また長期間塩漬け醸成された桜の葉の抗菌性や消臭性を利用して口臭を消去するように形成し、また使い捨て方式にして簡便で、衛生的で、何処でも着用可能に形成しようとするものである。
【００１４】
また本考案は、芳香を発する桜の葉以外の好適な天然物利用として、健康に被害を与えることなく芳香を発する天然の草木の葉に着目し、桜の葉を内包したマスク用バッグと同様に、芳香を発する草木の葉を砕断乾燥した後に、シングルバッグに封入し、次にマスク用バッグに内包して、芳香を発する草木の葉を乾燥状態で内包したマスク用バッグを、新規の保湿媒体として提供するものである。
【００１５】
また本考案は、その他の好適な天然物利用として、健康に被害を与えることなく芳香を発する天然の草木の花、実、茎、皮及び果実の皮に着目し、前記草木の葉を内包したマスク用バッグと同様に、それらを砕断乾燥して、芳香を発する草木の花、実、茎、皮及び果実の皮を乾燥状態で内包したマスク用バッグを製造し、新規の保湿媒体として提供するものである。
【００１６】
【考案の実施の形態】前記の解決手段である本考案の、芳香を発する桜の葉を乾燥状態で内包したマスク用バッグの実施の形態について、添付図面を参照して以下に説明する。図１は本考案のマスク用バッグの構造説明用平面図である。図中、１は本考案の長方形状のマスク用バッグであって、シートマスクに挟み込んで着用されるが、後述する乾燥状態の桜の葉を封入したシングルバッグ２の外側をガーゼで包み込んで製造される。
【００１７】
桜の葉を封入した漉紙製又はナイロンメッシュ製のシングルバッグ２は、３の外郭線で示される。４が砕断乾燥状態で封入された桜の葉である。
【００１８】
図２は本考案のマスク用バッグの製造工程のブロック図である。図中、５は本考案が利用する天然物製品であるウェット状態で芳香を発する桜の葉の製造工程であって、長期間の塩漬け醸成により桜の葉に含まれるクマリン成分が発酵され、ウェット状態で独特の甘い芳香を発する桜の葉が提供される。
【００１９】
６はウェット状態で芳香を発する桜の葉を砕断乾燥状態にするため、粗揉みしながら熱風で乾燥する粗揉み乾燥工程であって、ウェット状態の桜の葉を乾燥状態にして酸化やカビの発生を防止し、長期間品質を安定保存させるための加工工程である。なお本工程の乾燥方法として熱風乾燥を例示しているが、慣用的な自然乾燥、マイクロ波乾燥、フリーズドライ等の乾燥方法と砕断の組み合わせも本考案に含まれるものである。
【００２０】
７は砕断乾燥された桜の葉を漉紙製又はナイロンメッシュ製のシングルバッグに入れてシールするシングルバッグ封入工程であって、紅茶等の茶葉を封入したティーバッグと同じ構造の乾燥状態の桜の葉を封入したシングルバッグが製造される。なおシールは慣用された接着、貼着等により行なわれる。またシングルバッグの大きさはシートマスクの標準的大きさの５０〜７０　％が望ましい。
【００２１】
８は乾燥状態の桜の葉を封入したシングルバッグの外側をガーゼで長方形に包み込んで、シートマスクに着用可能なマスク用バッグを製造する工程である。ガーゼに代えて不織布でもよいが、マスクに着用のとき、バッグの全面に水を含ませて、内包した乾燥状態の桜の葉をウェット状態に復元させる必要があるので、ガーゼが望ましい。
【００２２】
また製造されたマスク用バッグは、内包された桜の葉の芳香の消失防止と酸化防止のため、空気不透過のアルミ製又はプラスチックフイルム製のパッケージに真空パックして保存されるが、９はその真空パック保存工程である。なお本工程において、１個のパッケージに１個又は複数個のマスク用バッグが同封されるが、さらに脱酸素剤を同封すれば酸化防止に有効である。
【００２３】
また前記のマスク用バッグをパッケージに真空パック保存する方法に代えて、前記の乾燥状態の桜の葉を封入したシングルバッグをパッケージに真空パックして、長期間品質を安定保存する方法もある。この方法では、マスクに着用のためパッケージから取出した時に、その外側をガーゼで長方形に包み込んで前記マスク用バッグの態様を形成し、マスクに着用することとなるが、図２の製造工程図においてガーゼ包装工程８と真空パック工程９を入れ替えたことに相当する。
【００２４】
また前記の芳香を発する桜の葉を乾燥状態で内包したマスク用バッグに代えて、健康に被害を与えることなく芳香を発する、例えばミントの葉のような天然の草木の葉を利用して、その葉を砕断乾燥した後に、シングルバッグに封入し、次にマスク用バッグに内包して、前記桜の葉のマスク用バッグと同様の、天然の芳香を発する草木の葉のマスク用バッグを製造することもできる。
【００２５】
また前記の草木の葉に代えて、健康に被害を与えることなく芳香を発する、例えばローズの花のような天然の草木の花、同じく草木の実、茎、皮及び果実の皮を利用して、それらを砕断乾燥し、封入し、内包して、前記草木の葉のマスク用バッグと同様の、天然の芳香を発する草木の花、実、茎、皮及び果実の皮のマスク用バッグを製造することもできる。
【００２６】
【考案の効果】本考案の芳香を発する桜の葉を乾燥状態で内包したマスク用バッグは以上の構成であるので、以下の種々の効果を発揮できる。
（１）天然物利用であり、天然の芳香であるので、マスクに着用しても自然な感じで、長期間着用しても違和感が起こらない。
（２）ウェット状態の桜の葉を熱風で乾燥し、乾燥状態にしてバッグに内包しているので、長期間未着用のまま保存しても、ウェット状態に較べて、桜の葉の酸化作用やカビの発生等による変質や腐敗の発生の恐れがない。
（３）乾燥状態の桜の葉は、着用時に水分を含ませるとウェット状態に復元するので、従来の濡れマスクと同様に上気道の消炎や風邪の予防に効果がある。
（４）乾燥状態の桜の葉を内包したマスク用バッグは、長期間未着用であっても、空気不透過のアルミ製パッケージに真空パックされているので，酸化が防止されると共にその芳香が消失される恐れがない。
（５）着用時に、桜の葉から発する芳香が爽快感を感知させて、従来のマスクにない癒し効果を享受でき、長期間マスクを着用したくなる効果がある。
【００２７】
（６）マスク用バッグはガーゼに包み込まれているので、水分を加減して含ませることができ、上気道の消炎のときは水分を多くし、爽快感を感知したいときは水分を少なくする等の使い分けができる。
（７）本考案の長期間塩漬け醸成された桜の葉の抗菌性と消臭性により、口臭の消去が期待できる。
（８）使い捨て方式であるので簡便で、衛生的で、どこでも使える効果がある。
（９）マスク用バッグに内包された桜の葉は砕断されているので、着用時に通気性が確保されて息苦しくない。
【図面の簡単な説明】
【図１】本考案の芳香を発する桜の葉を乾燥状態で内包したマスク用バッグの構造説明用平面図。
【図２】本考案のマスク用バッグの製造工程のブロック図。
【符号の説明】
１　　本考案の桜の葉を内包したマスク用バッグ
２　　桜の葉を封入したシングルバッグ
３　　シングルバッグの外郭線
４　　砕断されて内包された桜の葉
５　　桜の葉の塩漬け醸成工程
６　　粗揉み乾燥工程
７　　シングルバッグ封入工程
８　　ガーゼ包装工程
９　　真空パック工程
【図１】
0003097368.tif 000003
【図２】
0003097368.tif 000004
【手続補正書】
【提出日】平成15年6月19日(2003.6.19)
【手続補正１】
【補正対象書類名】明細書
【補正対象項目名】実用新案登録請求の範囲
【補正方法】変更
【補正の内容】
【実用新案登録請求の範囲】
【請求項１】
長期間の塩漬け醸成で芳香を発する桜の葉を、粗揉みしながら熱風で乾燥状態にして内包したことを特徴とする芳香を発する桜の葉を乾燥状態で内包したマスク用バッグ。
【請求項２】
前記の砕断乾燥された桜の葉を漉紙製シングルバッグに封入して内包したことを特徴とする請求項１に記載の芳香を発する桜の葉を乾燥状態で内包したマスク用バッグ。
【請求項３】
前記請求項２に記載の砕断乾燥された桜の葉を封入したシングルバッグの外側をガーゼで長方形に包み込んで、シートマスクに着用可能なマスク用バッグを形成したことを特徴とする請求項１に記載の芳香を発する桜の葉を乾燥状態で内包したマスク用バッグ。
【請求項４】
前記マスク用バッグが、未着用時は、空気不透過のアルミ製パッケージに真空パックされて保存され、着用時に取出してシートマスクに挟み込んで着用するごとく形成されたことを特徴とする芳香を発する桜の葉を乾燥状態で内包したマスク用バッグ。
【請求項５】
前記請求項１乃至４に記載の芳香を発する桜の葉を乾燥状態で内包したマスク用バッグに代えて、健康に被害を与えることなく芳香を発する草木の葉を砕断乾燥して内包したことを特徴とする芳香を発する草木の葉を乾燥状態で内包したマスク用バッグ。
【請求項６】
前記請求項５に記載の芳香を発する草木の葉を乾燥状態で内包したマスク用バッグに代えて、健康に被害を与えることなく芳香を発する草木の花、実、茎、皮及び果実の皮を砕断乾燥して内包したことを特徴とする芳香を発する草木の花、実、茎、皮及び果実の皮を乾燥状態で内包したマスク用バッグ。